(57)【要約】【課題】停止スイッチの機構により、停止スイッチの同時押下操作を不能とした停止スイッチ及びそれを使用した遊技機を提供する。【解決手段】両端抑止板(201)、右中抑止板(202)及び中左抑止板(203)は、その一端が停止スイッチ(50)の押下によって押し下げられると、他端が浮き上がるような支点(210)を両端間にそれぞれ有するシーソー構造に形成され、両端抑止板(201)、右中抑止板(202)及び中左抑止板(203)は、その一端が停止スイッチ(50)の押下によって押し下げられると、その他端の停止スイッチ(50)がシーソー構造によって浮き上がり、押下不能となるように形成されている。【選択図】図７
2008154650.tif 000002
【特許請求の範囲】
【請求項１】
押下操作によりオン状態になる停止スイッチであって、
前記停止スイッチは、左端に位置する左停止スイッチと、右端に位置する右停止スイッチと、前記左停止スイッチ及び前記右停止スイッチの中央に位置する中停止スイッチとが水平方向に３個並んで形成され、
前記左停止スイッチ及び前記右停止スイッチには、この両者間に跨った両端抑止板を設け、
前記右停止スイッチ及び前記中停止スイッチには、この両者間に跨った右中抑止板を設け、
前記中停止スイッチ及び前記左停止スイッチには、この両者間に跨った中左抑止板を設け、
前記両端抑止板、前記右中抑止板及び前記中左抑止板は、その一端が前記停止スイッチの押下によって押し下げられると、他端が浮き上がるような支点を両端間にそれぞれ有するシーソー構造に形成され、
前記両端抑止板、前記右中抑止板及び前記中左抑止板は、その一端が前記停止スイッチの押下によって押し下げられると、その他端の前記停止スイッチが前記シーソー構造によって浮き上がり、押下不能となるように形成されていることを特徴とする停止スイッチ。
【請求項２】
複数の図柄を周囲に有する３個の回転リールと、
３個の前記回転リールの回転駆動を開始させるためのスタートスイッチと、
前記回転リールの駆動を停止させるための停止スイッチと、
前記回転リール、前記スタートスイッチ及び前記停止スイッチを制御すると共に、所定確率で当選の抽選を行うための制御装置とを備え、
３個の前記回転リールが停止した状態で、視認可能な複数の図柄が、予め予定した所定の方向の入賞有効ライン上に揃うことを条件にメダルが払い出されるようにした遊技機において、
前記停止スイッチは、押下操作によりオン状態になるように形成され、
前記停止スイッチは、左端に位置する左停止スイッチと、右端に位置する右停止スイッチと、前記左停止スイッチ及び前記右停止スイッチの中央に位置する中停止スイッチとが、３個の前記回転リールのそれぞれに対応して、水平方向に３個並んで形成され、
前記左停止スイッチ及び前記右停止スイッチには、この両者間に跨った両端抑止板を設け、
前記右停止スイッチ及び前記中停止スイッチには、この両者間に跨った右中抑止板を設け、
前記中停止スイッチ及び前記左停止スイッチには、この両者間に跨った中左抑止板を設け、
前記両端抑止板、前記右中抑止板及び前記中左抑止板は、その一端が前記停止スイッチの押下によって押し下げられると、その他端が浮き上がるような支点を両端間にそれぞれ有するシーソー構造に形成され、
前記両端抑止板、前記右中抑止板及び前記中左抑止板は、その一端が前記停止スイッチの押下によって押し下げられると、その他端の前記停止スイッチが前記シーソー構造によって浮き上がり、押下不能となるように形成されていることを特徴とする遊技機。
【発明の詳細な説明】
【技術分野】
【０００１】
この発明は、同時に押下禁止機構を備えた停止スイッチ及びそれを使用した遊技機に関するものである。
【背景技術】
【０００２】
従来、この種の遊技機（例えばスロットマシン）に使用される回転リールは、複数個（通常３個）の回転リールが配置され、この複数個の回転リールの回転を停止させるために、それぞれの回転リールの回転を停止させるための停止スイッチが、各回転リールに対応して、複数個（通常、３個）、形成されている。この回転リールの回転を停止させる停止スイッチ（いわゆるストップスイッチ）としては、回転リールの同時停止を防止するために、制御装置のメインプログラム内で、以下の処理を行っている。
（１）停止スイッチの押下操作の検出時に、他の停止スイッチの停止操作の検出を行わない排他処理を行い、同時に、２つ以上の停止スイッチの押下操作の検出をしない。
【０００３】
（２）１個の回転リールが停止してから、他の回転リールの停止スイッチが、有効となるまでに、約２２８ｍｓのウエイト、いわゆる待ち時間を設けている。
以上の処理により、回転リールの停止スイッチが、遊技者によって、同時に停止操作、すなわち押下操作されても、複数（３個）の回転リールが同時に停止することはなく、回転リールを回転駆動させるためのステッピングモータへの瞬間的な過大電流が流入することを防ぎ、遊技機内の電子部品の破損や、遊技機の動作不良を防止している。
いずれかの停止スイッチが操作されているとき、他の全ての停止スイッチが操作無効となるものとして、例えば、特許文献１がある。
【特許文献１】特開２００３−３７１０４８号公報
【発明の開示】
【発明が解決しようとする課題】
【０００４】
しかし、上記した従来の遊技機に使用される停止スイッチでは、制御装置のメインプログラムを使用するため、メインプログラムの容量が膨大となってしまうという問題点があった。
制御装置のメインプログラムによりソフト処理するのではなく、停止スイッチの単純な機構により、複数の停止スイッチの同時押下操作を不能とする構造を望む声があった。
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する問題点に鑑みてなされたものであり、その目的とするところは、停止スイッチの機構により、停止スイッチの同時押下操作を不能とした停止スイッチを提供しようとするものである。
【０００５】
（請求項２）  請求項２記載の発明は、上記した従来の技術の有する問題点に鑑みてなされたものであり、その目的とするところは、停止スイッチの機構により、複数の停止スイッチの同時押下操作を不能として、メインプログラムの容量削減が可能な停止スイッチを有する遊技機を提供しようとするものである。
【課題を解決するための手段】
【０００６】
（請求項１）
（特徴点）  請求項１記載の発明は、次の点を特徴とする。すなわち、押下操作によりオン状態になる停止スイッチ(50)であって、前記停止スイッチ(50)は、左端に位置する左停止スイッチ(53)と、右端に位置する右停止スイッチ(55)と、前記左停止スイッチ(53)及び前記右停止スイッチ(55)の中央に位置する中停止スイッチ(54)とが水平方向に３個並んで形成され、前記左停止スイッチ(53)及び前記右停止スイッチ(55)には、この両者間に跨った両端抑止板(201)を設け、前記右停止スイッチ(55)及び前記中停止スイッチ(54)には、この両者間に跨った右中抑止板(202)を設け、前記中停止スイッチ(54)及び前記左停止スイッチ(53)には、この両者間に跨った中左抑止板(203)を設け、前記両端抑止板(201)、前記右中抑止板(202)及び前記中左抑止板(203)は、その一端が前記停止スイッチ(50)の押下によって押し下げられると、他端が浮き上がるような支点(210)を両端間にそれぞれ有するシーソー構造に形成され、前記両端抑止板(201)、前記右中抑止板(202)及び前記中左抑止板(203)は、その一端が前記停止スイッチ(50)の押下によって押し下げられると、その他端の前記停止スイッチ(50)が前記シーソー構造によって浮き上がり、押下不能となるように形成されていることを特徴とする。
【０００７】
本発明に係る停止スイッチ(50)は、左停止スイッチ(53)と、右停止スイッチ(55)と、中停止スイッチ(54)と、両端抑止板(201)と、右中抑止板(202)と、中左抑止板(203)と、各抑止板(200)の支点(210)（具体的には、両端支点211と、右中支点(212)と、中左支点(213)とを備える）とを備えているものを含むものである。
（作用）  本発明は、左停止スイッチ(53)が押下操作されると、両端抑止板(201)の左端が左停止スイッチ(53)により押下されて、両端抑止板(201)の右端が、両端抑止板(201)の支点(210)を介して、浮き上がる。これにより、両端抑止板(201)の右端の右停止スイッチ(55)が押下不能となる。
【０００８】
また、同時に、左停止スイッチ(53)が押下操作されると、中左抑止板(203)の左端が左停止スイッチ(53)により押下されて、中左抑止板(203)の右端が、中左抑止板(203)の支点(210)を介して、浮き上がる。これにより、中左抑止板(203)の右端の中停止スイッチ(54)が押下不能となる。
結果として、左停止スイッチ(53)の押下操作により、右停止スイッチ(55)及び中停止スイッチ(54)が押下不能となる。
本発明は、中停止スイッチ(54)が押下操作されると、中左抑止板(203)の右端が中停止スイッチ(54)により押下されて、中左抑止板(203)の左端が、中左抑止板(203)の支点(210)を介して、浮き上がる。これにより、中左抑止板(203)の左端の左停止スイッチ(53)が押下不能となる。
【０００９】
また、同時に、中停止スイッチ(54)が押下操作されると、右中抑止板(202)の左端が中停止スイッチ(54)により押下されて、右中抑止板(202)の右端が、右中抑止板(202)の支点(210)を介して、浮き上がる。これにより、右中抑止板(202)の右端の右停止スイッチ(55)が押下不能となる。
結果として、中停止スイッチ(54)の押下操作により、左停止スイッチ(53)及び右停止スイッチ(55)が押下不能となる。
本発明は、右停止スイッチ(55)が押下操作されると、両端抑止板(201)の右端が右停止スイッチ(55)により押下されて、両端抑止板(201)の左端が、両端抑止板(201)の支点(210)を介して、浮き上がる。これにより、両端抑止板(201)の左端の左停止スイッチ(53)が押下不能となる。
【００１０】
また、同時に、右停止スイッチ(55)が押下操作されると、右中抑止板(202)の右端が右停止スイッチ(55)により押下されて、右中抑止板(202)の左端が、右中抑止板(202)の支点(210)を介して、浮き上がる。これにより、右中抑止板(202)の左端の中停止スイッチ(54)が押下不能となる。
結果として、右停止スイッチ(55)の押下操作により、左停止スイッチ(53)及び中停止スイッチ(54)が押下不能となる。
以上の３つのパターンのいずれの場合においても、３つの停止スイッチ(50)のうち、いずれか１つの停止スイッチ(50)を押下操作すると、残りの２つの停止スイッチ(50)が押下不能となる。結果として、停止スイッチ(50)の同時押下操作を不能にすることができる。
【００１１】
（請求項２）
（特徴点）  請求項２記載の発明は、上記した請求項１記載の発明の特徴点に加え、次の点を特徴とする。すなわち、複数の図柄(61)を周囲に有する３個の回転リール(40)と、３個の前記回転リール(40)の回転駆動を開始させるためのスタートスイッチ(30)と、前記回転リール(40)の駆動を停止させるための停止スイッチ(50)と、前記回転リール(40)、前記スタートスイッチ(30)及び前記停止スイッチ(50)を制御すると共に、所定確率で当選の抽選を行うための制御装置(20)とを備え、３個の前記回転リール(40)が停止した状態で、視認可能な複数の図柄(61)が、予め予定した所定の方向の入賞有効ライン上に揃うことを条件にメダルが払い出されるようにした遊技機(10)において、前記停止スイッチ(50)は、押下操作によりオン状態になるように形成され、前記停止スイッチ(50)は、左端に位置する左停止スイッチ(53)と、右端に位置する右停止スイッチ(55)と、前記左停止スイッチ(53)及び前記右停止スイッチ(55)の中央に位置する中停止スイッチ(54)とが、３個の前記回転リール(40)のそれぞれに対応して、水平方向に３個並んで形成され、前記左停止スイッチ(53)及び前記右停止スイッチ(55)には、この両者間に跨った両端抑止板(201)を設け、前記右停止スイッチ(55)及び前記中停止スイッチ(54)には、この両者間に跨った右中抑止板(202)を設け、前記中停止スイッチ(54)及び前記左停止スイッチ(53)には、この両者間に跨った中左抑止板(203)を設け、前記両端抑止板(201)、前記右中抑止板(202)及び前記中左抑止板(203)は、その一端が前記停止スイッチ(50)の押下によって押し下げられると、その他端が浮き上がるような支点(210)を両端間にそれぞれ有するシーソー構造に形成され、前記両端抑止板(201)、前記右中抑止板(202)及び前記中左抑止板(203)は、その一端が前記停止スイッチ(50)の押下によって押し下げられると、その他端の前記停止スイッチ(50)が前記シーソー構造によって浮き上がり、押下不能となるように形成されていることを特徴とする。
【００１２】
また、ここで、「回転リール(40)」とあるのは、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置によって遊技者に向かって表示するものも含まれる。
また、ここで、「遊技機(10)」とは、具体的には、例えば、スロットマシンを含むものであるが、上述した回転リール(40)を有して、停止スイッチ(50)を備えたパチンコ機や、スロットマシンと同様に回転リール(40)を有して、停止スイッチ(50)を備えているが、遊技媒体として、遊技メダルではなく、遊技球（パチンコ球）を使用する遊技機、いわゆるパチンコ球で遊技するスロットマシンを含むものである。
【００１３】
（作用）  本発明は、図８に示すように、左停止スイッチ(53)が押下操作されると、両端抑止板(201)の左端が左停止スイッチ(53)により押下されて、両端抑止板(201)の右端が、両端抑止板(201)の支点(210)を介して、浮き上がる。これにより、両端抑止板(201)の右端の右停止スイッチ(55)が押下不能となる。
また、同時に、図８に示すように、左停止スイッチ(53)が押下操作されると、中左抑止板(203)の左端が左停止スイッチ(53)により押下されて、中左抑止板(203)の右端が、中左抑止板(203)の支点(210)を介して、浮き上がる。これにより、中左抑止板(203)の右端の中停止スイッチ(54)が押下不能となる。
【００１４】
結果として、左停止スイッチ(53)の押下操作により、右停止スイッチ(55)及び中停止スイッチ(54)が押下不能となる。
本発明は、図９に示すように、中停止スイッチ(54)が押下操作されると、中左抑止板(203)の右端が中停止スイッチ(54)により押下されて、中左抑止板(203)の左端が、中左抑止板(203)の支点(210)を介して、浮き上がる。これにより、中左抑止板(203)の左端の左停止スイッチ(53)が押下不能となる。
また、同時に、図９に示すように、中停止スイッチ(54)が押下操作されると、右中抑止板(202)の左端が中停止スイッチ(54)により押下されて、右中抑止板(202)の右端が、右中抑止板(202)の支点(210)を介して、浮き上がる。これにより、右中抑止板(202)の右端の右停止スイッチ(55)が押下不能となる。
【００１５】
結果として、中停止スイッチ(54)の押下操作により、左停止スイッチ(53)及び右停止スイッチ(55)が押下不能となる。
本発明は、図１０に示すように、右停止スイッチ(55)が押下操作されると、両端抑止板(201)の右端が右停止スイッチ(55)により押下されて、両端抑止板(201)の左端が、両端抑止板(201)の支点(210)を介して、浮き上がる。これにより、両端抑止板(201)の左端の左停止スイッチ(53)が押下不能となる。
また、同時に、図１０に示すように、右停止スイッチ(55)が押下操作されると、右中抑止板(202)の右端が右停止スイッチ(55)により押下されて、右中抑止板(202)の左端が、右中抑止板(202)の支点(210)を介して、浮き上がる。これにより、右中抑止板(202)の左端の中停止スイッチ(54)が押下不能となる。
【００１６】
結果として、右停止スイッチ(55)の押下操作により、左停止スイッチ(53)及び中停止スイッチ(54)が押下不能となる。
以上の３つのパターンのいずれの場合においても、３つの停止スイッチ(50)のうち、いずれか１つの停止スイッチ(50)を押下操作すると、残りの２つの停止スイッチ(50)が押下不能となる。結果として、停止スイッチ(50)の同時押下操作を不能にすることができる。
したがって、制御装置(20)のメインプログラムを使用することなく、停止スイッチ(50)の単純な機構により、３つの停止スイッチ(50)の同時押下操作を不能にすることができて、制御装置(20)のメインプログラムの容量を削減することができる。
【発明の効果】
【００１７】
本発明は、以上のように構成されているので、以下に記載されるような効果を奏する。
（請求項１）  請求項１記載の発明によれば、次のような効果を奏する。すなわち、請求項１記載の発明によれば、機構により、停止スイッチの同時押下操作を不能とした停止スイッチを提供することができる。
（請求項２）  請求項２記載の発明によれば、次のような効果を奏する。すなわち、請求項２記載の発明によれば、停止スイッチの機構により、複数の停止スイッチの同時押下操作を不能として、メインプログラムの容量削減が可能な停止スイッチを有する遊技機を提供することができる。
【発明を実施するための最良の形態】
【００１８】
（図面の説明）  図１から図１０までは、本発明の実施の形態を示すものである。図１は遊技機の外観正面図、図２は遊技機の筐体、交換ユニット及び前扉の分解斜視図、図３は遊技機の前扉を開いた状態の外観斜視図、図４は停止スイッチの概略正面図、図５は抑止板の概略正面図、図６は停止スイッチの概略下面図、図７は停止スイッチの外観斜視図、図８は左停止スイッチを押下したときの停止スイッチ及び抑止板の概略下面図、図９は中停止スイッチを押下したときの停止スイッチの概略下面図、図１０は右停止スイッチを押下したときの停止スイッチの概略下面図をそれぞれ示すものである。
（遊技機10）  遊技機10は、正面に向かって開口する正面開口部を有する四角箱状の筐体11を有する。この筐体11の正面開口部の向かって左縁側には、筐体11の正面開口部を開閉自在に塞ぐ前扉14がヒンジにより軸支されている。前記前扉14の中央部から上部には、遊技者側に向かって臨む略四角窓状の表示窓12が形成されている。そして、この表示窓12の略中央には、三個の回転リール40の図柄61、いわゆる停止図柄61を見ることができる図柄表示窓13が形成されている。そして、前扉14の下部には、入賞した場合に、賞品としての遊技媒体が払い出される払い出し口32が形成されている。そして、この払い出し口32の下方には、払い出し口32から払い出された遊技媒体としての遊技メダルを貯留するための上方に向かって開口する皿状の払い出し皿33が形成されている。
【００１９】
前記回転リール40は、図１の向かって左端側に位置する左側回転リール43と、図２の向かって右端側に位置する右側回転リール45と、この左側回転リール43及び右側回転リール45の間に位置する中央回転リール44とからなるものである。そして、遊技機10の前面側には、特に図示しないが、横方向に三本、左右の対角線上の斜め方向に二本の合計五本の入賞ラインが形成されている。そして、この入賞ラインは、投入メダルの枚数に応じて入賞が有効になる入賞有効ラインとなるものである。具体的には、遊技メダルの投入枚数が、１枚の場合、五本の入賞ラインのうち、横中央の一本が入賞有効ラインとなる。そして、遊技メダルの投入枚数が、２枚の場合、五本の入賞ラインのうち、横方向の三本が入賞有効ラインとなる。そして、遊技メダルの投入枚数が、３枚の場合、対角線も含めた五本の入賞ラインの全部が、入賞有効ラインとなる。
【００２０】
遊技機10の内部には、遊技機10の全体の動作を制御するための制御装置20が内蔵されている。この制御装置20は、回転リール40、スタートスイッチ30及び停止スイッチ50を制御すると共に、所定確率で当選の抽選を行うためのものである。
なお、ここで、「前面」や「前方向」や「手前方向」とは、交換作業者（或いは遊技者）が、遊技機10の正面側の前に遊技機10の方に顔を向けて座って、或いは、立っているような場合のかかる交換作業者（或いは遊技者）から見た場合の奥から手前への方向を意味する。したがって、前方向や手前方向とは、遊技機10の奥から正面へ向かう方向を意味する。
【００２１】
また、「背面」や「後方向」や「奥方向」とは、交換作業者（或いは遊技者）が、遊技機10の正面側に遊技機10の方を向いて位置しているような場合のかかる交換作業者（或いは遊技者）から見たときの手前から奥への方向を意味する。したがって、後方向とは、遊技機10の正面から奥（後ろ）へ向かう方向を意味する。また、本明細書における「左方向」や「右方向」等の左右方向も、かかる遊技機10の前面の方を向いて位置している者から見た場合の右方向や、左方向を意味する。
本実施の形態に係る遊技機10は、具体的には、スロットマシンであって、大きく分けて、正面側に開口する正面開口部を有する筐体11と、この筐体11内部に着脱自在に固定するとともに、筐体11から分離して交換可能な扉一体型交換ユニット5とを備えている。そして、遊技機10の正面側には、筐体11の正面開口部6を開閉可能に塞ぐための前扉14が形成されている。そして、前記前扉14は、筐体11の正面開口部6の上部を開閉可能に塞ぐための上扉3と、筐体11の正面開口部6の下部を開閉可能に塞ぐための下扉4とを備えている。
【００２２】
前記扉一体型交換ユニット5は、回転リール40、制御装置20及び上扉3を、直方体の骨組み状の構造体である支持体7に固定し、それらを一体として、筐体11から分離して交換可能なものである。
前記扉一体型交換ユニット5は、筐体11の正面開口部6の上部を開閉自在に塞ぐ上扉3と、枠状の支持体7に回転リール40を有するリールユニット60及び制御装置20を固定した交換ユニット2とを備えている。このリールユニット60は、複数の図柄61が表示された回転リール40及びこの回転リール40を回転表示させるためのステッピングモーター64からなる駆動手段を有するものである。そして、交換ユニット2の手前側には、前扉14の上扉3が開閉自在に取り付けられてある。そして、この交換ユニット2及び上扉3により、両者が一体となった扉一体型交換ユニット5を形成している。前記交換ユニット2は、上扉3と一緒に筐体11から分離して交換可能なものである。すなわち、遊技ホールにおける通常のいわゆる新台入れ替えの際には、交換ユニット2及び上扉3が一体となった扉一体型交換ユニット5毎に入れ替えることができるものである。もちろん、新台入れ替えの際、上扉3は、取り換えずに、そのまま再度使用して、交換ユニット2だけを交換することもできる。
【００２３】
前記筐体11の下部には、投入された遊技媒体としての遊技メダルを貯留するとともに払い出し皿33に遊技媒体としての遊技メダルを払い出し可能なホッパーユニットとも呼ばれる払い出し装置65とが固定されている。
（扉一体型交換ユニット5）  前記扉一体型交換ユニット5は、上扉3及び交換ユニット2からなるものである。この扉一体型交換ユニット5は、交換ユニット2の支持体7の上扉用被係合部に、上扉3の正面から向かって左裏面側の上扉用係合部を回転自在に係合させている。この上扉用被係合部及び上扉用係合部により本体上扉軸支手段を形成している。この本体上扉軸支手段は、上扉3を支持体7に回転可能に軸支するものである。そして、交換ユニット2及び上扉3は、両者が一体となった状態で、筐体11から取り外し、また、取り付けることができるように形成されている。なお、交換ユニット2の支持体7から上扉3を取り外せば、いわゆる新台入れ替えの際、上扉3はそのまま交換せずに、交換ユニット2だけを交換することができる。このように、交換ユニット2だけの取り付けや、取り外しも可能となるように形成されている。
【００２４】
（交換ユニット2）  前記交換ユニット2は、四角枠状の支持体7に、交換ユニット2を有するリールユニット60と、当該遊技機10の各部品を制御するための制御装置20とを固定しているものである。
前記回転リール40を有するリールユニット60は、支持体7に固定されているものである。このリールユニット60は、複数の図柄61が表示された回転リール40及びこの回転リール40を回転表示させるための駆動手段（図示せず）を有する。
ここで、回転リール40は、周囲に複数の図柄を表示した３個の回転リール40からなるものである。そして、駆動手段は、特に図示しないが、それぞれの回転リール40を回転させるためのステッピングモーター64を有している。
【００２５】
（上扉3）  前記上扉3は、筐体11の正面開口部6の上部を開閉自在に塞ぐものである。そして、上扉3は、樹脂板からなる図柄表示窓13が形成されている。遊技者は、回転リール40の図柄61を、図柄表示窓13を介して、正面側から見ることができるように形成されている。そして、上扉3の左右には、全体としてアーチ状のランプとなる報知ランプ69が設けられている。
そして、上扉3の内部には、演出用の画像データ等を記憶するとともに、主に、演出用の報知手段66を制御するためのサブ基板24を有する演出制御装置22（図３）を備えている。
【００２６】
なお、本実施の形態では、演出制御装置22を、上扉3の裏面側に形成しているが、この演出制御装置22は、交換ユニット2に形成しても良いものである。例えば、交換ユニット2の支持体7の前面側の上側の横枠に、演出制御装置22を固定しても良いものである。
（下扉4）  前記下扉4は、筐体11の正面開口部6の下部を開閉自在に塞ぐための、上扉3よりも幅厚の扉であり、筐体11の側部に回転自在かつロック可能に形成されているものである。
前記下扉4の正面側の上部及び上面は、遊技機10を作動させるための操作部となっており、下扉4の上面は、閉扉時においては、上扉3よりも前側に突出するようになっている。すなわち、この下扉4は、上扉3の下部の前側を、前側から覆うような状態で、ロックされ、下扉4の上部は、上扉3の下部よりも、手前側に配置するように形成されている。したがって、上扉3を閉じた状態で、下扉4を閉じた場合、下扉4を開けることなく、上扉3を開くことはできないように形成されている。このため、上扉3を開放する際には、必ず、下扉4の開放が条件となるものである。これにより、主基板23や、回転リール40等の正面開口部6の上部に配置されている部品が、ゴト行為により、操作されるのを抑えることができるものである。
【００２７】
また、下扉4の正面側の下部には払い出された遊技メダルを溜めておくための凹状の払い出し皿33が形成されており、この払い出し皿33の上部には、払い出し皿33へ遊技メダルを払い出すための払い出し口32が形成され、下扉4の正面側の略中央部には、遊技内容その他の案内表示をするための前パネルが嵌め込まれている。
前記操作部としては、下扉4の上面右端には遊技メダルを投入するためのメダル投入口18と、上面左側に設けられた精算スイッチ17と、その右側に設けられて、クレジットした遊技メダルを内部投入させるためのベットスイッチ16と、正面側にはレバー式のスタートスイッチ30（変動開始操作手段31）と、ボタン式の停止スイッチ50（変動停止操作手段51）と、鍵穴とが設けられている。なお、ベットスイッチ16とは、予め貯留した最大５０枚の遊技メダル（クレジットメダル）をメダル投入に代えるためのものであり、スタートスイッチ30は、回転リール40の回転を開始させるためのものである。また、停止スイッチ50は、回転リール40の回転を停止させるためのものである。そして、鍵穴は、下扉4を解錠するためのものであり、この穴に所定の鍵を差し込んで回すと、下扉4の扉ロック機構のロックが解除されるものである。
【００２８】
更に、下扉4の裏面側には、前記メダル投入口18から投入された遊技メダルを誘導しながら遊技メダルの正偽を判定するためのメダルセレクター130が設けられている。
（制御装置20）  前記制御装置20は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、次の（１）遊技制御装置21及び（２）演出制御装置22の装置を有するものである。
図２及び３に示すように、スタートスイッチ30及び停止スイッチ50の操作により、回転リール40の回転及び停止を制御するための主基板23を有する遊技制御装置21と、ランプやスピーカー等の報知手段66を制御するためのサブ基板24を有する演出制御装置22とが内蔵されている。また、ＣＰＵは、遊技制御装置21及び演出制御装置22に、それぞれ一個ずつ配置されているが、特にこれに限定されるものではなく、一個のＣＰＵで制御しても良く、或いは、二個以上のＣＰＵで制御するようにしても良いものである。また、ＣＰＵ、ＲＯＭ、ＲＡＭ及びＩ／Ｏ等は一体化されてワンチップを構成しても良いものである。
【００２９】
（遊技制御装置21）  前記遊技制御装置21は、スタートスイッチ30及び停止スイッチ50の遊技者による操作により、回転リール40の回転及び停止を制御するためのものである。
（演出制御装置22）  前記演出制御装置22は、主として演出データに関するものであって、報知ランプ69やスピーカー67等の報知手段66を制御するためのものである。そして、遊技制御装置21の内部データの信頼性を担保するため、遊技制御装置21と演出制御装置22との間での信号のやりとりは、一方通行となるように設定されている。すなわち、遊技制御装置21から、演出制御装置22に向かって出力信号のみが送出され、この演出制御装置22から遊技制御装置21に向かっていかなる信号も送出されないように設定されている。これにより、当選率等の抽選に関するデータを有する遊技制御装置21のデータ保護を容易なものにすることができる。
【００３０】
前記制御装置20の入力側には、主として制御装置20に信号を送る入力手段が配置され、前記制御装置20の出力側には、主として制御装置20からの信号が送り込まれる出力手段が配置されている。
（入力手段）  前記制御装置20の入力側には、次のパーツが接続されている。
（１）メダルセレクター130（投入スイッチ15）
（２）ベットスイッチ16
（３）精算スイッチ17
（４）スタートスイッチ30（変動開始操作手段31）
（５）停止スイッチ50（変動停止操作手段51）
なお、入力手段としては、上記した（１）乃至（５）のパーツに限定されるものではない。
【００３１】
（出力手段）  前記制御装置20の出力側には、次のパーツが接続されている。
（１）払い出し装置65
（２）リールユニット60
（３）報知手段66（報知ランプ69、スピーカー67、表示装置68）
なお、出力手段としては、上記した（１）乃至（３）のパーツに限定されるものではない。
（メダルセレクター130（投入スイッチ15））  前記メダルセレクター130は、図３に示すように、メダル投入口18の下部であって、下扉4の裏面側に固定されている四角箱状のものである。そして、このメダルセレクター130内部には、適正な遊技メダルが投入されたときに正規のメダル投入として検知可能な投入スイッチ15が形成されている。この投入スイッチ15は、図１に示すように、回転リール40の斜め下方に位置するスイッチであって、遊技メダルのメダル投入口18から投入された遊技メダルを検知するためのものである。
【００３２】
（ベットスイッチ16）  前記ベットスイッチ16は、回転リール40の下方に位置するスイッチであって、遊技者により予め投入されて遊技機内部に貯留した貯留メダル数を減じてメダル投入に代えるためのものである。
（精算スイッチ17）  前記精算スイッチ17は、回転リール40の斜め下方に位置するスイッチであって、貯留した投入メダルを払い出すためのものである。
（スタートスイッチ30）  前記スタートスイッチ30は、前記図柄表示手段としての回転リール40の回転停止表示を回転変動表示へ移行させるために遊技者により変動開始操作が可能な変動開始操作手段31である。このスタートスイッチ30は、回転リール40の斜め下方に位置するレバーであって、遊技メダルの投入若しくはベットスイッチ16の投入を条件に、または、「再遊技（リプレイ、Replay）」時には前遊技から所定時間経過を条件に、リールユニット60の駆動を開始させるためのものである。
【００３３】
なお、ここで、「再遊技（リプレイ、Replay）」とは、遊技制御装置21の当選抽選手段の抽選により、「再遊技（リプレイ、Replay）」のフラグが成立し、「再遊技（リプレイ、Replay）」の図柄が入賞有効ライン上に揃うことにより、次の遊技において、遊技メダルを新たに投入することなく、再度、遊技を行うことができるものである。
（停止スイッチ50）  前記停止スイッチ50は、前記図柄表示手段の回転変動表示を回転停止表示へ移行させるために遊技者により複数個の前記図柄表示手段を別個独立に停止操作が可能な変動停止操作手段51であって、リールユニット60の駆動モーターの回転を停止させるためのものである。具体的には、停止スイッチ50は、図１及び図２に示すように、各回転リール40に対応した三個のスイッチを備え、各回転リール40の下方に１個ずつ配置されているものである。遊技者が回転リール40に対応した停止スイッチ50を指で押下する押下操作により、オン状態になって、当該対応した回転リール40が回転を停止するように設定されているものである。なお、停止スイッチ50に関しては、後で詳細に説明する。
【００３４】
（貯留払い出し手段65）  前記貯留払い出し手段65は、いわゆるホッパーユニットであって、投入された遊技媒体を貯留することができるとともに、入賞した場合に、遊技者に向かって所定数の遊技媒体としての遊技メダルを払い出すためのものである。
（リールユニット60）  前記リールユニット60は、複数の配列された図柄を回転変動表示又は回転停止表示するための複数個の図柄表示手段41を備えているものである。この図柄表示手段41は、２１個の図柄を周囲に均等に配列した筒状の回転リール40を有している。すなわち、リールユニット60には、３個の駆動モーター63が、基体としての枠体に固定或いは支持されている。そして、各々の駆動モーター63の回転駆動軸には、三個の回転リール40の回転中心軸が固定されている。そして、各回転リール40は、合成樹脂からなる回転ドラムと、この回転ドラムの周囲に貼付されるテープ状のリールテープ42とを備えている。このリールテープ42の外周面には、複数個（２１個）の図柄61が表示されている。そして、回転リール40の一部に、突出している突出片状のいわゆるスタートインデックスが形成してある。そして、駆動モーター63による回転を開始した後、前記スタートインデックスを光センサー等により検知してからの回転角度を認識することで、現在位置を特定し、その後、所定角度で停止させることによって、停止制御が行われるものである。この光センサーは、全体形状が、略コ字状であって、一端に発光素子（ＬＥＤ）が配置され、他端に受光素子（フォトトランジスタ）が配置され、そのコ字状の内部を、突出片状のスタートインデックスが移動することにより、発光素子からの光が遮断され、スタートインデックスの位置を検知可能なものである。
【００３５】
以下、具体的に説明すると、この回転リール40の外周表面の２１個の図柄61には、各図柄61の表示位置により異なる図柄番号が付与されている。そして、この回転リール40の回転駆動軸には、回転リール40を回転駆動させるための回転駆動源である駆動モーター63としてのステッピングモーター64が固定されている。このステッピングモーター64は、リールユニット60の基体である枠体に固定されて所定の回転角度だけ回転リール40を回転させるための回転駆動力を発生するものである。このリールユニット60には、このステッピングモーター64を回転駆動させるためのモータードライバ62が形成されている。このモータードライバ62には、遊技制御装置21からの制御信号としてのパルス信号が入力されることにより、ステッピングモーター64を回転駆動させる駆動電力を供給するためのものである。
【００３６】
（報知手段66）  前記報知手段66は、遊技者に当選や入賞等を音や光や映像で報知させるためのものである。具体的には、報知手段66は、前扉14に埋め込まれた左右のスピーカー67と、遊技機10の前面側に位置して、表示窓12の上部中央に配置されたドット状の大型パネルＬＥＤからなる表示装置68と、表示窓12の周囲縁に配置された５個の報知ランプ69とを備えているものである。そして、この報知手段66は、演出制御装置22の制御により、当選時や入賞時にスピーカー67から当選音や入賞音を発生させ、報知ランプ69を点灯又は点滅させることにより、また、表示装置68に図柄模様や文字列を点灯表示させることにより、遊技者に当選や入賞等を報知させるためのものである。
【００３７】
（停止スイッチ50の詳細）  前記停止スイッチ50は、回転リール40の回転を停止させるためのものである。そして、この停止スイッチ50は、左側回転リール43の回転を停止させるため、左端に位置する左停止スイッチ53と、中央回転リール44の回転を停止させるため、左停止スイッチ53及び右停止スイッチ55の中央に位置する中停止スイッチ54と、右側回転リール45の回転を停止させるため、右端に位置する右停止スイッチ55とが水平方向に３個並んで形成されている。この３個の停止スイッチ50は、遊技者の押下操作により、回転リール40を停止させるための動作がオン状態となるように形成されている。
前記停止スイッチ50は、図７に示すように、下扉4の前面側に保持される円板状の鍔部56と、鍔部56の中央孔を前後方向に進退する進退部57とを備えている。前記鍔部56は、下扉4の前面側に固定され、押下操作の際、その位置は移動しないように形成され、進退部57が奥方向に移動することにより、オン状態となるように形成されている。前記進退部57が奥方向に移動することにより、オン状態となる機構は、詳細等は特に図示しないが、発光部のＬＥＤと、受光部のフォトトランジスタとにより、発光部ＬＥＤからの光を、移動した進退部57により遮断することで、受光部のフォトトランジスタが、進退部57の移動を光学的に検知することができるものである。
【００３８】
前記進退部57は、特に図示していなが、ばね（図示せず）の付勢力により、常時、手前側に向かって突出する方向に付勢力が加わっている。そして、図８の左停止スイッチ53に示すように、遊技者が奥側に向かって、かかる付勢力に抗して押下した場合、奥側に押し込まれて、上述した発光部及び受光部により検知されてオン状態となるが、遊技者が、押下した手を離すと、ばねの付勢力により、手前側に向かって突出し、元の状態に戻るように形成されている。
任意の２つの停止スイッチ50の間で、且つ、押下方向側には、この２つの停止スイッチ50間に跨った板状の抑止板200を設けている。
【００３９】
具体的には、左停止スイッチ53及び右停止スイッチ55の間で、且つ、押下方向側には、この左停止スイッチ53及び右停止スイッチ55の両者間に跨った両端抑止板201が形成されている。この両端抑止板201は、図５に示すように、中央に半円状の半円状切り欠き部204が形成されている。この半円状切り欠き部204は、図５に示すように、中停止スイッチ54の進退部57の外周表面より僅かに大きな半円状に形成されてあり、中停止スイッチ54の進退部57が進退しても、両端抑止板201が中停止スイッチ54の進退部57と接触しないように形成されている。この半円状切り欠き部204を形成したことにより、中停止スイッチ54の進退部57の進退とは関係なく両端抑止板201が、支点210を中心として、シーソー構造により揺動することが可能となるものである。
【００４０】
そして、右停止スイッチ55及び中停止スイッチ54の間で、且つ、押下方向側には、この右停止スイッチ55及び中停止スイッチ54の両者間に跨った右中抑止板202が形成されている。この右中抑止板202は、両端抑止板201の水平方向の２分の１の長さであって、正面から向かって右半分の位置に配置されている。
そして、中停止スイッチ54及び左停止スイッチ53の間で、且つ、押下方向側には、この中停止スイッチ54及び左停止スイッチ53の両者間に跨った中左抑止板203が形成されている。中左抑止板203は、両端抑止板201の水平方向の２分の１の長さであって、正面から向かって左半分の位置に配置されている。
【００４１】
両端抑止板201、右中抑止板202及び中左抑止板203は、一端の停止スイッチ50が押下されると、他端が浮き上がるような支点210を両端間にそれぞれ有するシーソー構造に形成されている。具体的には、支点210は、両端抑止板201の裏面側（奥側に臨む面）の左右方向の中央に当接する両端支点211と、中左抑止板203の裏面側（奥側に臨む面）の左右方向の間に当接する中左支点213と、右中抑止板202の裏面側（奥側に臨む面）の左右方向の間に当接する右中支点212とを備えている。
そして、両端抑止板201、右中抑止板202及び中左抑止板203の一端の停止スイッチ50が押下されると、この他端の停止スイッチ50がシーソー構造によって浮き上がり、押下不能となるように形成されている。
【００４２】
上述した支点210で抑止板200の奥側裏面を支持していることにより、抑止板200の左右両端の一端が停止スイッチ50により奥側に押下されると、シーソー構造により、押下された端部の左右方向の反対側の端部が手前側に向かって浮き上がる（突出する）ように移動するものである。そして、かかるシーソー構造により、押下された左右反対側の端部が手前側に向かって浮き上がる（突出する）ことにより、浮き上がった抑止板200の端部が、停止スイッチ50の進退部57を手前側に押し出す方向に押し込む。これにより、遊技者が、かかる停止スイッチ50の進退部57を奥側に押し込もうとしても、押し込むことができず、押下不能となるものである。
【００４３】
なお、結果として、本形態に係る停止スイッチ50は、左停止スイッチ53と、右停止スイッチ55と、中停止スイッチ54と、両端抑止板201と、右中抑止板202と、中左抑止板203と、両端支点211と、右中支点212と、中左支点213とを備えていることになる。
（作用）
本形態は、図８に示すように、左停止スイッチ53の進退部57が押下操作されると、両端抑止板201の左端が左停止スイッチ53の進退部57により奥側に押下されて、両端抑止板201の両端支点211を支点とするシーソー構造により、両端抑止板201の右端が、両端抑止板201の支点210（両端支点211）を介して、浮き上がる。これにより、両端抑止板201の右端が、右停止スイッチ55の進退部57を裏面側から前面側へ突出させ、両端抑止板201の右端の右停止スイッチ55が遊技者により押下不能となる。
【００４４】
また、同時に、図８に示すように、左停止スイッチ53の進退部57が押下操作されると、中左抑止板203の左端が左停止スイッチ53により押下されて、中左抑止板203の中左支点213を支点とするシーソー構造により、中左抑止板203の右端が、中左抑止板203の支点210（中左支点213）を介して、前面側に浮き上がる。これにより、中左抑止板203の右端が浮き上がって、中停止スイッチ54の進退部57を裏面側から前面側へ突出させ、中左抑止板203の右端の中停止スイッチ54が遊技者により押下不能となる。
結果として、左停止スイッチ53の押下操作により、右停止スイッチ55及び中停止スイッチ54が遊技者による押下が不能となる。
【００４５】
また、図９に示すように、中停止スイッチ54の進退部57が押下操作されると、中左抑止板203の右端が中停止スイッチ54の進退部57により押下されて、中左抑止板203の中左支点213を支点とするシーソー構造により、中左抑止板203の左端が、中左抑止板203の支点210を介して、浮き上がる。これにより、中左抑止板203の左端が浮き上がって、左停止スイッチ53の進退部57を裏面側から前面側へ突出させ、中左抑止板203の左端の左停止スイッチ53が遊技者により押下が不能となる。
また、同時に、図９に示すように、中停止スイッチ54の進退部57が押下操作されると、右中抑止板202の左端が中停止スイッチ54の進退部57により押下されて、右中抑止板202の右中支点212を支点とするシーソー構造により、右中抑止板202の右端が、右中抑止板202の支点210を介して、浮き上がる。これにより、右中抑止板202の右端が浮き上がって右停止スイッチ55の進退部57を裏面側から前面側へ突出させ、右中抑止板202の右端の右停止スイッチ55が遊技者による押下が不能となる。
【００４６】
結果として、中停止スイッチ54の押下操作により、左停止スイッチ53及び右停止スイッチ55が遊技者により押下不能となる。
また、図１０に示すように、右停止スイッチ55の進退部57が押下操作されると、両端抑止板201の右端が右停止スイッチ55の進退部57により押下されて、両端抑止板201の両端支点211を支点とするシーソー構造により、両端抑止板201の左端が、両端抑止板201の支点210（両端支点211）を介して、浮き上がる。これにより、両端抑止板201の左端が浮き上がって左停止スイッチ53の進退部57を裏面側から前面側へ突出させ、両端抑止板201の左端の左停止スイッチ53の遊技者による押下が不能となる。
【００４７】
また、同時に、図１０に示すように、右停止スイッチ55の進退部57が押下操作されると、右中抑止板202の右端が右停止スイッチ55の進退部57により押下されて、右中抑止板202の右中支点212を支点とするシーソー構造により、右中抑止板202の左端が、右中抑止板202の支点210（右中支点212）を介して、浮き上がる。これにより、右中抑止板202の左端が浮き上がって中停止スイッチ54の進退部57を裏面側から前面側へ突出させ、右中抑止板202の左端の中停止スイッチ54が遊技者により押下不能となる。
結果として、右停止スイッチ55の押下操作により、左停止スイッチ53及び中停止スイッチ54が遊技者により押下不能となる。
【００４８】
以上の３つのパターンのいずれの場合においても、３つの停止スイッチ50のうち、いずれか１つの停止スイッチ50を押下操作すると、残りの２つの停止スイッチ50が押下不能となる。結果として、停止スイッチ50の同時押下操作を不能にすることができる。
したがって、制御装置20のメインプログラムを使用することなく、停止スイッチ50の単純な機構により、３つの停止スイッチ50の同時押下操作を不能にすることができて、制御装置20のメインプログラムの容量を削減することができる。
【図面の簡単な説明】
【００４９】
【図１】本発明の形態であって、遊技機を示す外観正面図である。
【図２】本発明の形態であって、遊技機の筐体、交換ユニット及び前扉を示す分解斜視図である。
【図３】本発明の形態であって、遊技機の前扉を開いた状態を示す外観斜視図である。
【図４】本発明の形態であって、停止スイッチを示す概略正面図である。
【図５】本発明の形態であって、抑止板を示す概略正面図である。
【図６】本発明の形態であって、停止スイッチを示す概略下面図である。
【図７】本発明の形態であって、停止スイッチを示す外観斜視図である。
【図８】本発明の形態であって、左停止スイッチを押下したときの停止スイッチを示す概略下面図である。
【図９】本発明の形態であって、中停止スイッチを押下したときの停止スイッチを示す概略下面図である。
【図１０】本発明の形態であって、右停止スイッチを押下したときの停止スイッチを示す概略下面図である。
【符号の説明】
【００５０】
2  交換ユニット                        3  上扉
4  下扉                                5  扉一体型交換ユニット
6  正面開口部                          7  支持体
10  遊技機                              11  筐体
12  表示窓                              13  図柄表示窓
14  前扉                                15  投入スイッチ
16  ベットスイッチ                      17  精算スイッチ
18  メダル投入口                        20  制御装置
21  遊技制御装置                        22  演出制御装置
23  主基板                              24  サブ基板
30  スタートスイッチ                    31  変動開始操作手段
32  払い出し口                          33  払い出し皿
40  回転リール                          41  図柄表示手段
42  リールテープ                        43  左側回転リール
44  中央回転リール                      45  右側回転リール
50  停止スイッチ                        51  変動停止操作手段
53  左停止スイッチ                      54  中停止スイッチ
55  右停止スイッチ                      56  鍔部
57  進退部                              60  リールユニット
61  図柄                                62  モータードライバ
63  駆動モーター                        64  ステッピングモーター
65  払い出し装置                        66  報知手段
67  スピーカー                          68  表示装置
69  報知ランプ                          130  メダルセレクター
200  抑止板                            201  両端抑止板
202  右中抑止板                        203  中左抑止板
204  半円状切り欠き部                  210  支点
211  両端支点                          212  右中支点
213  中左支点
【図１】
2008154650.tif 000003
【図２】
2008154650.tif 000004
【図３】
2008154650.tif 000005
【図４】
2008154650.tif 000006
【図５】
2008154650.tif 000007
【図６】
2008154650.tif 000008
【図７】
2008154650.tif 000009
【図８】
2008154650.tif 000010
【図９】
2008154650.tif 000011
【図１０】
2008154650.tif 000012